(57)【要約】【課題】文字サイズに応じて最適なトナーセーブ率を設定する。【解決手段】トナーセーブモードの場合、文字サイズ解析部３では、集約印刷、変倍印刷の指定に基づき文字サイズを解析する。トナーセーブ率決定部４では、微小文字と判定された場合、トナーセーブ率を２０％とし、文字サイズが６〜１１と判定された場合、トナーセーブ率を３０％、文字サイズが１１〜１５の場合、トナーセーブ率を４０％、文字サイズが１６以上の場合、トナーセーブ率を５０％に設定する。【選択図】図１
2014032436.tif 000002
【特許請求の範囲】
【請求項１】
入力された原稿画像データの印刷方法を指定する指定手段と、前記指定された印刷方法を基に前記原稿画像データ中の文字サイズを解析する文字サイズ解析手段と、前記文字サイズ解析手段により解析された文字サイズを基に、前記原稿画像データ中の文字オブジェクトに最適なトナーセーブ率を設定するトナーセーブ率決定手段を備えることを特徴とする画像処理装置。
【請求項２】
前記文字サイズ解析手段は、前記画像データ中の文字のフォントサイズ、前記指定手段により指定された原稿の集約率、変倍率を基に文字サイズを判定することを特徴とする請求項１記載の画像処理装置。
【請求項３】
前記トナーセーブ率決定手段は、前記文字サイズ解析手段により判定された文字サイズが小さくなるほど、文字オブジェクトに設定するトナーセーブ率を小さくすることを特徴とする請求項１記載の画像処理装置。
【請求項４】
前記トナーセーブ率決定手段は、文字オブジェクトに設定されたトナーセーブ率に応じて、文字の背景オブジェクトのトナーセーブ率を変更することを特徴とする請求項１記載の画像処理装置。
【請求項５】
前記文字オブジェクトに設定されたトナーセーブ率がデフォルトのトナーセーブ率よりも小さい場合は、前記背景オブジェクトのトナーセーブ率をデフォルトよりも大きくすることを特徴とする請求項４記載の画像処理装置。
【請求項６】
請求項１乃至５のいずれか１項に記載の画像処理装置を備えることを特徴とする画像形成装置。
【請求項７】
入力された原稿画像データの印刷方法を指定する指定工程と、前記指定された印刷方法を基に前記原稿画像データ中の文字サイズを解析する文字サイズ解析工程と、前記文字サイズ解析工程により解析された文字サイズを基に、前記原稿画像データ中の文字オブジェクトに最適なトナーセーブ率を設定するトナーセーブ率決定工程を備えることを特徴とする画像処理方法。
【請求項８】
請求項７記載の画像処理方法をコンピュータに実現させるためのプログラム。
【請求項９】
請求項７記載の画像処理方法をコンピュータに実現させるためのプログラムを記録したコンピュータ読み取り可能な記録媒体。
【発明の詳細な説明】
【技術分野】
【０００１】
本発明は、トナーセーブモードを有する画像処理装置、画像処理方法、画像形成装置、プログラムおよび記録媒体に関する。
【背景技術】
【０００２】
トナー消費量を通常より節約して印刷するトナーセーブモードでは、通常よりも濃度が低くなるようにガンマテーブルを設定することにより、画像の濃度を下げ、印刷コストを抑制している。しかし、トナーセーブを行うと文字の視認性が著しく低下し、特にフォントサイズの小さい微小文字については濃度の低下と網掛け部との干渉によって文字が解読できない場合もある。
【０００３】
そこで、文字の可読性を維持するために、文字に対してはトナーセーブ量を抑え、イメージやグラフィックオブジェクトに対してトナーセーブ量を大きくする技術がある（例えば、特許文献１を参照）。
【発明の概要】
【発明が解決しようとする課題】
【０００４】
しかし、絵柄と文字部でトナーセーブモードを変更する手法では、本来ならばトナーセーブ後に十分に識別可能な比較的フォントサイズが大きい文字に対しても、トナー消費量を低減できないという問題があった。
【０００５】
本発明は上記した課題に鑑みてなされたもので、
本発明の目的は、文字サイズに応じて最適なトナーセーブ率を設定する画像処理装置、画像処理方法、画像形成装置、プログラムおよび記録媒体を提供することにある。
【課題を解決するための手段】
【０００６】
本発明は、入力された原稿画像データの印刷方法を指定する指定手段と、前記指定された印刷方法を基に前記原稿画像データ中の文字サイズを解析する文字サイズ解析手段と、前記文字サイズ解析手段により解析された文字サイズを基に、前記原稿画像データ中の文字オブジェクトに最適なトナーセーブ率を設定するトナーセーブ率決定手段を備えることを最も主要な特徴とする。
【発明の効果】
【０００７】
本発明によれば、文字サイズに応じて最適なトナーセーブ率を設定することができる
【図面の簡単な説明】
【０００８】
【図１】本発明の画像処理装置の構成を示す。
【図２】本発明の実施例１の色材量低減処理のフローチャートを示す。
【図３】本発明の画像処理装置を備える画像出力システム（画像形成装置）を示す。
【図４】ページ記述言語による入出力画像データを示す。
【図５】文字サイズと対応するトナーセーブ率を示す。
【図６】トナーセーブ率と対応するガンマテーブルを示す。
【図７】実施例２の色材量低減処理のフローチャートを示す。
【図８】背景オブジェクトに対するトナーセーブ率の設定値の具体例を示す。
【図９】背景オブジェクトへのトナーセーブ処理を適用した画像例を示す。
【発明を実施するための形態】
【０００９】
以下、発明の実施の形態について図面により詳細に説明する。本発明では、文字のフォントサイズ、印刷原稿の集約率、変倍率に応じてトナーセーブ量を可変にすることで文字のサイズに応じて最適なトナーセーブ率にする。また、文字に設定されたトナーセーブ率に応じて文字の背景オブジェクトのトナーセーブ率も変更する。
【実施例１】
【００１０】
図１は、本発明の画像処理装置の構成を示す。図１において、１は色変換部、２は印刷方法指定部、３は文字サイズ解析部、４はトナーセーブ率決定部、５はγ変換部、６は画像形成部である。
【００１１】
色変換部１は、入力データをラスタライズすると共に、画像形成用のデータ、通常はＣＭＹＫデータへ変換する。印刷方法指定部２は、一般的にはコンピュータの表示装置及びマウスなどの入力装置や、ＭＦＰに備えられたタッチパネル式の操作部などであり、トナーセーブを行うか否か、集約印刷の有無と集約数、変倍印刷の有無と変倍率などを指定する。文字サイズ解析部３は、文字のフォントサイズ、集約数、変倍印刷などの印刷方法の指定に基づき文字サイズの大きさを判定する。トナーセーブ率決定部４は、文字サイズ解析部３で判定された情報に基づき、入力画像中のオブジェクト（文字、グラフィックス等）ごとにトナーセーブ率を決定する。γ変換部５は、トナーセーブ率決定部４で選択されたγテーブルに基づき、入力画像中のオブジェクト（文字、グラフィックス等）ごとにγ変換を行うことよって各オブジェクトに最適な濃度で印刷できるようＣ、Ｍ、Ｙ、Ｋの濃度を調整する。画像形成部６は、色変換部１で変換された画像形成用のデータに基づき、紙などの記録媒体上に、色材を用いて画像を形成する。
【００１２】
図２は、本発明の実施例１の色材量低減（トナーセーブ）処理のフローチャートを示す。図３は、本発明の画像処理装置を備える画像出力システム（画像形成装置）を示し、一般的には複合機、ＭＦＰ（Ｍｕｌｔｉ  Ｆｕｎｃｔｉｏｎ  Ｐｅｒｉｐｈｅｒａｌ）と呼ばれる機器である。このような画像出力システムは、一般的には、ユーザーが使用する操作部に操作ボタン２０１や、タッチパネル式の液晶パネルなどを用いた操作パネル２０２などを備える。ユーザーは、操作パネルに表示されたＧＵＩ（Ｇｒａｐｈｉｃａｌ  Ｕｓｅｒ  Ｉｎｔｅｒｆａｃｅ）を用い、印刷方法を指定する（Ｓ１０）。ユーザーは、用紙１ページに何ページ分の画像データを印刷するかを示す集約率、画像の拡大縮小の倍率を決める変倍率、トナーセーブの実行有無を操作部上で選択することができる。また、複合機上の操作部以外にもＰＣホストにインストールされたプリンタドライバーでも同様の印刷方法の指定ができる。
【００１３】
本発明では、印刷方法指定部２で集約率が１／２、変倍率が５０％、トナーセーブモードがＯＮと設定されたものとして、以下説明する。ユーザーにより印刷情報が設定された後は、トナーセーブ率決定部４では、指定された印刷情報から、トナーセーブモードであるかを判断する（Ｓ１１）。トナーセーブモードでない場合には、通常の印刷処理が行われる。
【００１４】
一方、トナーセーブモードであった場合、文字サイズ解析部３では、集約印刷（Ｓ１２）、変倍印刷（Ｓ１４）の有無の判定を行い、文字のフォントサイズなどの情報と合わせて文字サイズの解析（Ｓ１６）を行う。なお、集約処理（Ｓ１３）、変倍処理（Ｓ１５）は、画像処理装置内で実行される。
【００１５】
文字サイズ解析部３では、入力画像データの中からＦｏｎｔＳｉｚｅといった、文字サイズの指定を示す命令が記述された箇所を探索する。そして、このフォントサイズ、集約率、変倍率を基に文字サイズを計算する。
【００１６】
図４は、ページ記述言語による入出力画像データを示す。図５は、文字サイズと対応するトナーセーブ率を示す。例えば、図４のＣ１０１は、文字サイズとして、１６ポイントが指定されていることを示す。文字サイズが１６ポイントであり、集約数が１／２、変倍率が０．５であった場合、
１／２＊０．５＊１６＝４
となり、文字サイズは４となる。
【００１７】
トナーセーブ率決定部４は、図５のテーブルを参照して、文字サイズ解析部３の解析結果に応じたトナーセーブ率を決定する（Ｓ１７）。文字サイズ４は、図５の文字サイズ決定テーブルより微小文字と判定される。微小文字と判定された場合はトナー消費量を大きく削減した場合に判読困難になる可能性があるため、トナーセーブ率は２０％とする。文字サイズが６〜１１と判定された場合はトナーセーブ率３０％、文字サイズが１１〜１５の場合はトナーセーブ率４０％、文字サイズが１６以上の場合はトナーセーブ率５０％のように設定することで、文字サイズが大きくなるに従いトナーセーブ率を増加させていく。ここで、文字サイズが１６以上の文字は、グラフィックオブジェクトやイメージオブジェクトと同等のトナーセーブ率であるものとする。
【００１８】
図６は、トナーセーブ率と対応するガンマテーブルを示し、トナーセーブ率とγテーブルの関係を表している。入出力特性がリニアであるのが通常γテーブルであり、トナーセーブが実行されなかった場合に選択されるものとする。文字サイズが微小と判定された場合は、トナーセーブ率２０％のγテーブル、文字サイズが小と判定された場合は、トナーセーブ率３０％のγテーブル、文字サイズが中と判定された場合は、トナーセーブ率４０％のγテーブル、文字サイズが大と判定された場合は、トナーセーブ率５０％のγテーブルが選択される。このように、狙いのトナーセーブ率が実現できるようにγ変換部５では、γテーブルを文字サイズごとに切り替えることによって文字サイズに応じて異なるトナーセーブ率で印字する。
【００１９】
以上、説明したように、本実施例では、文字のフォントサイズだけでなく、原稿の集約率、変倍率も考慮することで、実際に印刷した場合の文字サイズをトナーセーブ率に正確に反映することが可能になる。また、サイズの小さな文字に対してはトナーセーブによって薄くなり、識別不可能になるのを防ぐことができる。
【実施例２】
【００２０】
上記した実施例１は、文字の大きさに応じてトナーセーブ率を可変にする実施例であるが、比較的サイズの小さな文字により構成されている原稿に対しては、通常のトナーセーブ率を一定とするトナーセーブモードよりもトナー消費量を削減することができない。
【００２１】
そこで、実施例２では、文字サイズに応じてトナーセーブ率を可変にするだけでなく、文字の背景オブジェクトのトナーセーブ率も可変にすることで、通常のトナーセーブ時と同等のトナーセーブ効果が得られるようにする。
【００２２】
図７は、実施例２の色材量低減処理（背景オブジェクトに対するトナーセーブ率の決定処理）のフローチャートを示す。なお、実施例２の画像処理装置の構成は、実施例１（図１）と同様である。
【００２３】
Ｓ２０、Ｓ２１において、文字サイズ解析部３では、文字オブジェクトのサイズ解析を行い、トナーセーブ率決定部４では、文字サイズに応じたトナーセーブ率を決定する。Ｓ２２において、文字サイズ解析部３では、文字のトナーセーブ率が決定した後は、文字オブジェクトの周囲のオブジェクトを探索して背景となるオブジェクトが存在するか否かを探索する。背景オブジェクトの探索方法はプリンタコマンド（ＰＤＬ）のオブジェクトの位置情報、大きさを基に隣接するオブジェクトが存在するか否かで判定するものとする。
【００２４】
図８は、背景オブジェクトに対するトナーセーブ率の設定値の具体例（テーブル）を示す。トナーセーブ率決定部４は、図８のテーブルを参照して、文字オブジェクトの周囲に背景となるオブジェクトが存在する場合は、文字サイズの大きさに基づき背景オブジェクトのトナーセーブ率を決定する。図８は、グラフィックオブジェクト、イメージオブジェクトのデフォルトのトナーセーブ率が５０％の場合を想定した場合の背景オブジェクトに対するトナーセーブ率の設定値の具体例を表している。
【００２５】
文字サイズが大と判定された場合は、通常のトナーセーブモード時と同等の削減効果が得られているので背景オブジェクトのトナーセーブ率はデフォルトと同様に５０％のままとして変更しない。文字サイズが中であると判定された場合は、文字のトナーセーブ率を４０％に抑える代わりに背景オブジェクトのトナーセーブ率を６０％とする。同様に、文字オブジェクトが小、微小と判定された場合も文字のトナーセーブ率を抑える（３０％、２０％）代わりに背景のトナーセーブ率を大きくする（８０％、７０％）ことで、全体としては全オブジェクトに対して５０％のトナーセーブ率を設定した場合と同等の効果が得られるようにすることができる。
【００２６】
図９は、背景オブジェクトへのトナーセーブ処理を適用した画像例を示す。図９に示すように、微小文字（文字サイズ４）に対しては、濃度を落とさずくっきりと印刷して背景は薄く印刷することで、トナー消費量（色材量）削減と文字の視認性の確保を両立することができる。
【００２７】
以上、説明したように、本実施例では、サイズの小さな文字のトナーセーブ率を下げた場合、通常のトナーセーブモード時よりトナー消費量の削減効果が小さくなるが、サイズの小さい文字に対しては背景のオブジェクトのトナーセーブ率を上げることでトナー消費量の削減効果を高めることができる。
【００２８】
本発明は、前述した実施例の機能を実現するソフトウエアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の機能を実現することになる。プログラムコードを供給するための記憶媒体としては、例えば、ハードディスク、光ディスク、光磁気ディスク、不揮発性のメモリカード、ＲＯＭなどを用いることができる。また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれる。また、本発明の実施例の機能等を実現するためのプログラムは、ネットワークを介した通信によってサーバから提供されるものでも良い。
【符号の説明】
【００２９】
１  色変換部
２  印刷方法指定部
３  文字サイズ解析部
４  トナーセーブ率決定部
５  γ変換部
６  画像形成部
【先行技術文献】
【特許文献】
【００３０】
【特許文献１】特開２００８−７８８２９号公報
【図１】
2014032436.tif 000003
【図２】
2014032436.tif 000004
【図３】
2014032436.tif 000005
【図４】
2014032436.tif 000006
【図５】
2014032436.tif 000007
【図６】
2014032436.tif 000008
【図７】
2014032436.tif 000009
【図８】
2014032436.tif 000010
【図９】
2014032436.tif 000011